(57)【要約】【課題】弦楽器の新しい使用方法として、バチで駒を打つという手法を取り入れた演奏方法を可能にする駒を提供することにある。また、バチで弦を弾いた際に、不意に駒が弦から落脱してしまうことを防ぐことが出来ると同時に、容易に駒の取り替えをすることの出来る弦楽器の駒を提供することにある。【解決手段】  弦孔１５が形成され、前記弦孔の内部において弦を支持する弦支持部１６が形成されており、弦２０を駒の外側から弦支持部に導く第一スリット部１７が形成され、かつ駒にバチを打ち当てることの出来る被打部１１が形成されている弦楽器の駒を提供する。【選択図】図１
2018180500.tif 000002
【特許請求の範囲】
【請求項１】
少なくとも一つの弦孔（１５）が形成され、
前記弦孔の内部において弦を支持する弦支持部（１６）が形成されており、
弦を駒の外側から弦支持部に導く第一スリット部（１７）が形成されていることを特徴とする弦楽器の駒。
【請求項２】
前記駒にバチを打ち当てることの出来る被打部（１１）が形成されていることを特徴とする請求項１に記載の弦楽器の駒。
【請求項３】
前記弦支持部の中の一方の弦支持部から他方の中の一つの弦支持部へ連結する第二スリット部（１８）が形成されていることを特徴とする請求項１または２に記載の弦楽器の駒。
【請求項４】
前記第一スリット部は弦を差し込む弦差込口（１９）を備えており、
前記弦差込口が、前記駒の上部、側面、下部、または載置面に形成されていることを特徴とする請求項１または３のいずれか一項に記載の弦楽器の駒。
【発明の詳細な説明】
【技術分野】
【０００１】  本発明は、弦楽器の駒に関するものである。
【背景技術】
【０００２】  弦楽器の共通構造として、弦の振動自体が発する音は微音である為、音を増幅させる装置（共鳴体）を有している。その共鳴体は、一般的に中空構造であり、共鳴体の表面は、皮・紙・薄板などの振動媒介体（振動膜）で覆われている。【０００３】  従来の弦楽器の駒の役割は、演奏者によって弾かれた弦の振動を、振動膜を介して共鳴体へ伝達することである。バチで駒を直接打って音を奏でることを想定していなかった為に、バチから受ける衝撃に対して耐える構造設計になっていない。
その為、バチで駒を打った場合には、駒の破損や弦の劣化が生じる恐れがあった。【０００４】  また、激しいバチさばきによって、弦が駒から外れてしまうことがあり、その問題の解決に向けての考案がある。
実用新案文献１の三味線用駒は、弦外れを防止する為に、貫通穴を設けて弦を通す構造になっている。【０００５】  しかし、駒を取り替える際に、弦先がペグ（糸巻き）等で固定されている状態から弦を外さなければならなく、容易に取り替えることが出来なかった。
【先行技術文献】
【０００６】
【実用新案文献１】
実用新案登録第３１８９８３０号
【発明の概要】
【発明が解決しようとする課題】
【０００７】  弦楽器の新しい使用方法として、バチで駒を打つという手法を取り入れた演奏方法を可能にする駒を提供することにある。【０００８】  また、バチで弦を弾いた際に、不意に駒が弦から落脱してしまうことを防ぐことが出来ると同時に、容易に駒の取り替えをすることの出来る弦楽器の駒を提供することにある。
【課題を解決するための手段】
【０００９】  上記の目的を達成するため、本発明は、少なくとも一つの弦孔１５が形成され、前記弦孔の内部において弦を支持する弦支持部１６が形成されており、弦２０を駒の外側から弦支持部に導く第一スリット部１７が形成されている弦楽器の駒を提供する。【００１０】  前記駒にバチを打ち当てることの出来る被打部１１が形成されていることが好ましい。【００１１】  前記弦支持部の中の一方の弦支持部から他方の中の一つの弦支持部へ連結する第二スリット部１８が形成されていることが好ましい。【００１２】  前記スリット部は弦を差し込む弦差込口１９を備えており、前記弦差込口が、前記駒の上部、側面、下部、または載置面に形成されていることが好ましい。
【発明の効果】
【００１３】  この駒の特徴はバチで打つことが可能な被打部が形成されていることである。この被打部をバチで打つと、その運動エネルギーが駒を介して振動膜へ伝わる。
さらに、駒の反動によって弦が持ち上げられて振動を起こし、その弦の振動エネルギーが振動膜に伝わることで重層的で余韻のある音を奏でることが可能になる。【００１４】  従来と同様にバチで直接的に弦を撥いて演奏することと合わせて、弦楽器の新しい用途を生み出す。本発明の駒を用いた楽器は幅広い用途で用いることが可能である。【００１５】  また、第一スリット部を通して弦を出し入れすることで、駒が弦から不意に外れてしまうことを防止すると同時に、取り替えを容易に出来る駒を提供する。【００１６】  さらに、第一スリット部、第二スリット部、弦差込口の形状に変化を設けることで、バチで駒を打つ際に発する音の調整が可能になる。
駒の大型化にも対応可能であり、様々な打音を楽しむことが出来る。
【図面の簡単な説明】
【００１７】
【図１】本発明の実施形態に係る弦楽器の駒の斜視図である。
【図２】本発明の実施形態に係る弦楽器の駒の断面図である。
【図３】本発明の実施形態に係る弦楽器の駒の変形例１の斜視図である。
【図４】本発明の実施形態に係る弦楽器の駒の変形例２の斜視図である。
【図５】本発明の実施形態に係る弦楽器の駒の変形例３の斜視図である。
【図６】本発明の実施形態に係る弦楽器の駒の変形例３の断面図である。
【図７】本発明の実施形態に係る弦楽器の駒の変形例４の斜視図である。
【図８】本発明の実施形態に係る弦楽器の駒の変形例５の斜視図である。
【図９】本発明の実施形態に係る弦楽器の駒の変形例６の斜視図である。
【図１０】本発明の実施形態に係る弦楽器の駒の変形例６の断面図である。
【図１１】本発明の実施形態に係る弦楽器の駒の変形例７の斜視図である。
【図１２】本発明の実施形態に係る弦楽器の駒の変形例７の断面図である。
【発明を実施するための形態】
【００１８】  図１は本発明実施形態に係る弦楽器の駒の斜視図である。本発明による弦楽器の駒１０は、両端に駒端面１２があり、正面に駒正面１３がある。
図で示しているのは、弦楽器の共鳴体の上に載置した状態であり、駒１０の上部には、バチで打って演奏する際にバチの当たる場所である被打部１１が形成されている。
当該被打部１１は、バチが打ちやすいように一定の広さを有する面が形成されており、図１における被打部１１には、平坦面が形成されている。
【００１９】  駒正面１３には、弦孔１５が設けられており、弦孔の内部に弦を支持する弦支持部が形成されている。
この実施例では、三味線において用いられる駒を想定している為、３列の弦孔１５が形成されているが、より多くの弦を有する楽器に用いる場合にはより多くの弦孔を設ければ対応可能であり、弦孔を３列に限定するものではない。本発明における弦は、三味線の糸に該当する。
【００２０】  弦を駒の外部から弦支持部１６まで導くために、第一スリット部１７が設けられており、第一スリット部１７が駒周面に表れる場所に弦差込口１９が形成されている。
図１においては、弦差込口１９は駒の上部に形成されている。
すべての弦孔１５がスリット部に連結していることで、弦をペグ（糸巻き）から取り外すことなく、駒を取り替えることが可能になる。
図示された例では、駒の上部から下方へ伸びる第一スリット部１７が中央の弦孔と連結し、中央の弦孔から左右（水平方向）に伸びる第二スリット部１８が形成されている。
本発明における第二スリット部は、駒内部にある弦孔同士を結び付ける役割を担っており、第二スリット部が水平ではなく、傾斜している場合もありうる。
【００２１】  駒は、木、合成樹脂、ゴム、プラスティック、ガラス、セラミック、紙、金属などの材質で出来ている。図示した駒の構造によって、従来の駒よりも耐久性能を高めることも可能である。
【００２２】  図２は本発明の実施形態に係る弦楽器の駒の断面図である。弦孔１５の軸方向の中央近傍に、弦２０を支持する弦支持部１６が形成されている。
【００２３】  図３は本発明の実施形態に係る弦楽器の駒の変形例１の斜視図である。弦孔と駒の外部を結ぶ第一スリット部１７が３個設けられており、駒の上部および両サイドの駒端面１３に弦差込口１９が形成されている。また、駒の下部に空間が設けられ、駒全体としてアーチ状に形成されている。これにより駒の軽量化を図ることが可能である。
【００２４】  図４は本発明の実施形態に係る弦楽器の駒の変形例２の斜視図である。図３と同様に駒はアーチ形状であり、弦差込口１９は下部に形成されており、弦支持部１６同士を結ぶ第二スリット部が形成されている。
【００２５】  図５は本発明の実施形態に係る弦楽器の駒の変形例３の斜視図であり、図６は同変形例の断面図である。駒正面１３の形状が略山形である。
弦軸方向を軸にして回る面に駒周面１４ａが存在し、駒周面１４ａには被打部１１が形成されている。
図１と同様に、弦孔１５と弦支持部１６を備えており、第一スリット部１７と第二スリット部１８が形成されている。
【００２６】  図７は本発明の実施形態に係る弦楽器の駒の変形例４の斜視図である。図５と同様の構造である。図示された例では、駒の載置面に弦差込口１９が形成されている。
【００２７】  図８は本発明の実施形態に係る弦楽器の駒の変形例５の斜視図である。図５と同様の構造である。図示された例では、駒周面１４ａに弦差込口１９が形成されている。
【００２８】  図９は本発明の実施形態に係る弦楽器の駒の変形例６の斜視図であり、図１０は同変形例の断面図である。
図示されたように、駒端面１２の形状が略山形である。駒端部を軸にして回る面に駒周面１４ｂが存在し、駒周面１４ｂには被打部１１が形成されている。
図１と同様に、弦孔１５と弦支持部１６を備えており、第一スリット部１７と第二スリット部１８が形成されている。
【００２９】  図１１は本発明の実施形態に係る弦楽器の駒の変形例７の斜視図であり、図１２は同変形例の断面図である。
駒は、略半球の形状であり、駒周面１４ｃの面積が広くなり、被打部１１として利用可能な面積も広くなる。被打部１１は駒の上部に限定されるものではない。
【００３０】  全般的に、駒自体の大型化にも対応出来、駒サイズによる音響の変化を楽しむことも可能である。特に、駒が略半球の形状であると、サイズ制約がなくなり、大型化または小型化に自由に対応することが可能である。
図１〜４では、弦差込口の先端部が丸くなっており、この丸みの大きさを変化させると、駒から発する音の変化を楽しむことが出来る。
【００３１】  弦２０がスリット部を通して弦孔１５まで導かれると、駒が弦２０から不意に外れてしまうことを防止することが出来る。本発明による弦楽器の駒を用いると、弦２０をスリット部から取り外して、高さの異なる駒に取り替えることも容易に出来るようになる。
【符号の説明】
【００３２】１０    駒
１１    被打部
１２    駒端面
１３    駒正面
１４ａ  駒周面
１４ｂ  駒周面
１４ｃ  駒周面
１５    弦孔
１６    弦支持部
１７    第一スリット部
１８    第二スリット部
１９    弦差込口
２０    弦
【図１】
2018180500.tif 000003
【図２】
2018180500.tif 000004
【図３】
2018180500.tif 000005
【図４】
2018180500.tif 000006
【図５】
2018180500.tif 000007
【図６】
2018180500.tif 000008
【図７】
2018180500.tif 000009
【図８】
2018180500.tif 000010
【図９】
2018180500.tif 000011
【図１０】
2018180500.tif 000012
【図１１】
2018180500.tif 000013
【図１２】
2018180500.tif 000014